(57)【要約】      （修正有）【課題】糊付を実行した結果と見積りした際の現場情報と対比（照合）して、次に続く処理と連動するようにしたシステムを提供する。【解決手段】壁紙施工工事における作業の見積処理から入金処理に到る一連の処理を行う壁紙施工管理システムにおいて、糊付けを実行する前に、部屋データファイルを読み、現場の糊付予定を生成し糊付予定ファイルに格納する工程と、糊付け実行プログラムを生成して糊付けプログラムファイルに格納する工程と、糊付けを実行する際には、糊付けプログラムファイルを読み出して糊付けを実行した結果を実行糊付ファイルに格納する工程と、糊付け作業の終了時に、照合手段が実行糊付ファイルを読み出して、糊付けした長さの合計値である総和値を算出する工程と、照合手段が、実行糊付ファイルと部屋データファイルとを照合して、総和値を部屋データファイルに書き込み、当該の壁紙施工作業が完了したことを下位の売上処理に伝達する。【選択図】図２
2010117844.tif 000002
【特許請求の範囲】
【請求項１】
壁紙施工工事における作業の見積処理から入金処理に到る一連の処理を行う壁紙施工管理システムにおいて、
内装施工現場の見積段階で生成した部屋データファイルと、
糊付け実行プログラムを格納する糊付けプログラムファイルと、
糊付けを実行した結果を格納する実行糊付ファイルと、
前記実行糊付ファイル中のレコードが、前記部屋データファイル中のどの現場のどの部屋のデータであるかを割当てる照合手段を有し、
糊付けを実行する前に、部屋データファイルを読み出し、現場の糊付予定レコードを生成し糊付予定ファイルに格納する工程と、糊付予定ファイル中のレコードを読み出し、糊付け実行プログラムを生成して糊付けプログラムファイルに格納する工程と、
糊付けを実行する際には、前記糊付けプログラムファイル中のプログラムを読み出して糊付けを実行して、実行した結果を前記実行糊付ファイルに格納する工程と、
糊付け作業の終了時に、前記照合手段が前記実行糊付ファイル中のレコードを読み出して、糊付けした長さの合計値である総和値を算出する工程と、
前記照合手段が、前記実行糊付ファイル中のレコードと部屋データファイル中のレコードとを照合して、前記総和値を部屋データファイル中の該当するレコードに書き込むことによって、当該レコードの壁紙施工作業が完了したことを下位の処理である売上処理に伝達することを特徴とする壁紙施工管理システム。
【請求項２】
前記総和値は、部屋毎の合計値で、糊付長×枚数であることを特徴とする請求項１記載の壁紙施工管理システム。
【請求項３】
前記実行糊付ファイルは、糊付けプログラムモードで糊付を実行したプログラム実行結果レコードと、前記プログラムモードに従わないで糊付を実行したプログラム外実行結果レコードを有し、
前記照合手段が、前記プログラム実行結果レコード及び前記プログラム外実行結果レコードと、前記現場管理ファイル中のレコードを照合することを特徴とする請求項１または請求項２いずれかに記載の壁紙施工管理システム。
【発明の詳細な説明】
【技術分野】
【０００１】
本発明は、壁紙糊付機を用いて壁紙糊付けを施工する場合において、作業の見積り段階から請求段階までを管理する、見積処理、受注処理、売上処理、請求処理、入金処理などを処理するシステムに関するもので、詳しくは、内装施工現場の見積り段階で生成した部屋ファイル（情報）から、壁紙施工に必要な情報を得て、糊付け実行プログラムを生成記憶して、壁紙糊付機に糊付けを実行させ、糊付けを実行した結果を部屋ファイル（情報）に書き込むことにより、壁紙施工実績を売上処理に反映するようにした壁紙施工管理システムに関する。
【背景技術】
【０００２】
従来の壁紙糊付機の施工管理システムにおいて、プログラムデータを入力するものには、内装施工現場の壁の寸法を測定して、測定した寸法に上下カットロスや幅カットロス等の施工時に生じる誤差を含んで「長さ」と「枚数」を割り出して記憶させ、記憶した長さと枚数に実行順序を付けて、有線通信、無線通信により壁紙糊付機に送信する装置がある。（特許文献１参照）
また、壁紙を発注する際の事務データから「長さ」と「枚数」を割り出して記憶し、有線通信、無線通信により壁紙糊付機に送信する装置がある。（特許文献２参照）
【特許文献１】実用新案登録第２６００９５２号公報
【特許文献２】特開２０００−３３３０３号公報
【発明の開示】
【発明が解決しようとする課題】
【０００３】
これら従来の装置を用いて、糊付けを実行する場合において、プログラム通りに糊付けを実行しても壁に壁紙を貼る際に貼り損じが生ずることがあるので、貼り損じた分をもう一度壁紙に糊を付ける作業をする必要が生じる。この場合プログラムには存在しない「長さ」と「枚数」の糊付けを実行することになる。
【０００４】
また、見積り時点で算出した「長さ」と「枚数」は、実際の壁紙施工の経験がない人が、建築物の設計図を見ながら、壁紙材料を発注することを主な目的として、算出する場合が多いので、床から天井までの長さから、窓の高さを単純に差し引いて算出した「長さ」と「枚数」に基づきプログラムが作成される。
【０００５】
しかし、実際に施工する場合は、内装作業者が現場の詳細を見て、床から天井までの間のどの当たりに窓が位置するかによって、「長さ」を変更する場合が多い。例えば、見積り時点では、
（１）．「長さ」＝１００ｃｍが１枚、「長さ」＝１２０ｃｍが１枚として、この壁面では２２０ｃｍ必要であると算出していたが、
（２）．内装作業者（壁紙を壁に貼る人）が、現場を見て長さを算出すると、例えば、
「長さ」＝８０ｃｍが１枚、「長さ」＝１４０ｃｍが１枚として、２２０ｃｍとする場合等がある。
【０００６】
上記（１）と（２）では、必要な壁紙の長さに差違はないが、糊付けプログラムとしては相違する。
【０００７】
この様な場合、内装作業者は、プログラムには従わないで、自分で算出した長さと枚数を入力して、糊付けを行っている。
【０００８】
このように、従来の壁紙施工管理システムでは、糊付けを実行した結果は記憶できるが、糊付を実行した結果と見積りした際の現場情報と対比（照合）して、次に続く処理と連動するようにしたシステムは開発されていない。この為、現場でメモ書きしてきたものを見ながら、手操作で入力しており、そのため事務処理が煩雑になり、作業効率が上がらないという課題を有している。
【課題を解決するための手段】
【０００９】
上記課題を解決するため、本発明は、壁紙施工工事における作業の見積処理から入金処理に到る一連の処理を行う壁紙施工管理システムにおいて、内装施工現場の見積段階で生成した部屋データファイルと、糊付け実行プログラムを格納する糊付けプログラムファイルと、糊付けを実行した結果を格納する実行糊付ファイルと、前記実行糊付ファイル中のレコードが、前記部屋データファイル中のどの現場のどの部屋のデータであるかを割当てる照合手段を有し、糊付けを実行する前に、部屋データファイルを読み出し、現場の糊付予定レコードを生成し糊付予定ファイルに格納する工程と、糊付予定ファイル中のレコードを読み出し、糊付け実行プログラムを生成して糊付けプログラムファイルに格納する工程と、糊付けを実行する際には、前記糊付けプログラムファイル中のプログラムを読み出して糊付けを実行して、実行した結果を前記実行糊付ファイルに格納する工程と、糊付け作業の終了時に、前記照合手段が前記実行糊付ファイル中のレコードを読み出して、糊付けした長さの合計値である総和値を算出する工程と、前記照合手段が、前記実行糊付ファイル中のレコードと部屋データファイル中のレコードとを照合して、前記総和値を部屋データファイル中の該当するレコードに書き込むことによって、当該レコードの壁紙施工作業が完了したことを下位の処理である売上処理に伝達することを特徴とする。
【００１０】
また、前記総和値は、部屋毎の合計値で、糊付長×枚数であることを特徴とする。
【００１１】
また、前記実行糊付ファイルは、糊付けプログラムモードで糊付を実行したプログラム実行結果レコードと、前記プログラムモードに従わないで糊付を実行したプログラム外実行結果レコードを有し、前記照合手段が、前記プログラム実行結果レコード及び前記プログラム外実行結果レコードと、前記現場管理ファイル中のレコードを照合することを特徴とする。
【発明の効果】
【００１２】
本発明の壁紙施工管理システムは、壁紙施工現場の見積時の現場管理情報から、壁紙施工に必要な情報を抜き出して、糊付けを実行する為の「糊付けプログラムファイル」を生成記憶し、壁紙糊付機の主演算部に糊付けを実行させて、「糊付けプログラムファイル」に基づき、プログラムモードで糊付けを実行した「プログラム実行結果レコード」と、基本操作で糊付け実行モードで「長さ」と「枚数」を都度入力して糊付けした「プログラム外実行結果レコード」の両方を記憶し、壁紙施工作業の終了時に、「プログラム実行結果レコード」と「プログラム外実行結果レコード」の両方を、見積り時点の現場管理情報のどの現場の、どの部屋の実行結果として対応させるのかを割り振りし、見積り時点の情報を記憶させた「部屋情報ファイル」に施工時の「総和値」を書き込むので、作業者がプログラム通りに糊付けを実行した場合でも、プログラムに存在しない糊付けを実行した場合でも、メモ書きを要せず、正確で迅速に壁紙施工実績を下位の処理に伝達でき、事務処理の効率を上げることができる。
【００１３】
また、部屋データファイルに、「見積時、作業値」、「見積時、切り代」、「見積時、ロス率」と、「実績、作業値」、 「実績、切り代」、「実績、ロス率」を書き込むので、これを比較することにより、見積と実績の差違の把握ができ、次の物件の見積りの精度を向上させることができる。
【発明を実施するための最良の形態】
【００１４】
以下、本発明の実施の形態を図面を参照して説明する。
【００１５】
図１（ａ）は本発明の壁紙糊付機１、図１（ｂ）は制御図を示す。本発明の壁紙糊付機１の制御ボックス２の内部には、壁紙糊付機全体を制御する為の制御部３を有し、制御部３は主演算部４、記憶部５及び通信部６を有し、正面には壁紙糊付機１を操作する為の表示操作部７を有する。
【００１６】
図示していないがこの他に、モーター制御部や糊供給装置とのインターフェイス部を有する。
【００１７】
図２と図３に本発明の施工管理システムの処理の流れを示す。図２は、壁紙施工管理システムの内装施工店業務の見積り段階から請求段階までを管理する見積処理、受注処理、売上処理、請求処理、入金処理などを一連で処理するシステムの流れである。
【００１８】
本システムは、上記システムに関連して壁紙施工管理処理システムが生成記憶している部屋ファイル（情報）から、壁紙施工に必要な情報を得て、糊付け実行プログラムを生成記憶して、壁紙糊付機１に糊付けを実行させ、糊付けを実行した結果を部屋ファイル（情報）に書き込むことにより、壁紙施工実績を上記システムに伝達するシステムである。図２において、実線矢印は処理が進む方向を示し、点線矢印は各処理がどのデータファイルにアクセスするのかを示している。
【００１９】
次に主演算部における本システムの処理の詳細について説明する。図３（ａ）において、処理ＳＴＰ１は、現在受注している複数の現場から壁紙施工を行う現場を選ぶ処理で、現場管理情報から、糊付予定ファイルを生成する処理である。
【００２０】
現場管理情報としては、記憶部５に「現場データファイル」と「部屋データファイル」が記憶されている。
【００２１】
図４と図５に現場管理情報を示す。現場管理情報は「現場データファイル」「部屋データファイル」から成る。 図４に示す「現場データファイル」は、壁紙施工現場１つにつき１レコード生成され、「現場コード」、「現場枝番」、「現場名」、「現場住所」は現場を特定する為の項目であり、「現場担当者」は見積りをした人の名前であり、「現場見積日」は見積りをした日である。「レコード生成日」は現場レコードが生成された年月日であり、「レコード更新日」は更新日のレコードが変更（上書き保存）された最終の年月日である。
【００２２】
図５に示す「部屋データファイル」は、「現場データファイル」の１つのレコードにつき（１現場につき）、その現場内に存在する部屋の数分生成されるレコードである。
【００２３】
また、同一の部屋でも、「壁紙品番」の異なる２種類の壁紙を貼る場合には、部屋レコードは２レコード生成される。
「部屋データファイル」中の項目の「現場コード」、「現場枝番」は「現場データファイル」中の現場レコードと関連付ける  ための項目であり、「現場データファイル」中の「現場コード」及び、「現場名」と、「部屋データファイル」中の「現場コード」及び、「現場名」とが、一致するレコード  は同一現場のレコードである。
【００２４】
また、「部屋名」は、リビング、居間など部屋を特定する為の項目あり、「箇所名」は、天井、壁、ドアなど壁紙を貼る部位を特定する為の項目ある。
【００２５】
また、「壁紙品番」はその部屋に貼る壁紙の種類を特定し、「壁紙幅」は、その「壁紙品番」の壁紙の幅である。
【００２６】
また、「測定寸法、壁高さ」、「測定寸法、壁幅」、「測定寸法、窓幅」、「測定寸法、窓上長」、「測定寸法、窓下長」、は、壁紙施工を施す部屋の寸法を測定した数値である。
【００２７】
また、「見積時、壁紙長さ」、「見積時、壁紙枚数」、「見積時、上下カットロス」、「見積時、幅カットロス」、「見積時、作業値」、「見積時、切り代」、「見積時、ロス率」、は部屋の寸法を測定した数値から計算した結果である。
【００２８】
「実績、作業値」、「実績、切り代」、「実績、ロス率」は、糊付けを実行して壁紙施工作業が終わったあと、処理ＳＴＰ７が実績値を代入する為の項目である。
【００２９】
次に、操作者が、壁紙施工を行いたい現場の「現場コード」＝００７を入力すれば、処理ＳＴＰ１は、図６に示す選択された現場の現場名を表示し、「現場コード」＝００７をＫｅｙとして、「部屋データファイル」中の全てのレコードを検索して、該当するレコードを読み出して、そのレコードの項目「部屋名」、「箇所名」、「長さ」、「枚数」を表示する。
【００３０】
「現場コード」が００７である「部屋データファイル」中の全てのレコードについて糊付け予定レコードを生成した後、「現場コード」が００９等、複数の現場の糊付予定レコードを生成する。
【００３１】
操作者が、図６の左端の「選択」の欄にチェックを入れて、側画面に表示された複数のレコードから、壁紙施工を行いたいレコードを選んで、スイッチを押せば、処理ＳＴＰ１は、図７に示す糊付予定ファイルに、図６で選択した行の数分の糊付け予定レコードを生成し、図６の、１行目から４行目の４つのレコードが生成される。
【００３２】
図３（ｂ）の処理ＳＴＰ３は、壁紙糊付機１の主演算部４が、壁紙糊付機本体内の複数のローラーを回転させて壁紙を搬送させながら、裏面に糊を付ける動作（以下、糊付け動作と称する）を実行する処理である。
【００３３】
図３（ｂ）のフローチャートに沿って、まず糊付実行モードをプログラムモードを選択した場合について説明する。
【００３４】
糊付予定レコードを受信した処理ＳＴＰ２において、図８に示す「糊付けプログラムファイル」中に、受信した順にプログラム番号を付加して糊付けプログラムレコードを生成して記憶部５に記憶される。
【００３５】
糊付けを実行するまえに、壁紙糊付機１の記憶部５に記憶している糊付けプログラムを画面に表示し、例えば、壁紙糊付機１の記憶部５に記憶しているプログラムの内容が図８（ｂ）に示す現場名、部屋名、長さ、枚数等からなる内容で、この内容で作業者が、プログラムモードの実行に入ると、壁紙糊付機１の主演算部４は表示部に、図９に示すプログラムレコードを表示する（ＳＴＰ３）
図９の上段の、１行目の［０１    ５マイ    ２５０    ｃｍ］の、［０１］は、このプログラムを識別する為の「プログラム番号」である。［５  マイ］は、糊付けをする枚数「糊付け枚数」は、５枚であり、［２５０ｃｍ］は、１枚の長さ「糊付け長さ」は、２５０センチメートルであることを示している。
【００３６】
同様に、２行目の［０２    ２マイ    １００    ｃｍ］は次のプログラムレコードを表示している。
「プログラム番号」＝０２番、
「糊付け枚数」    ＝２枚、
「糊付け長さ」    ＝１００ｃｍ
であることを示している。
【００３７】
図９の下段は、表示部には表示していないが、記憶部５に記憶しているプログラムである。画面スクロールアップキー（図示せず）と画面スクロールダウンキー（図示せず）が押されると、壁紙糊付機１の主演算部４は、記憶部５に記憶しているレコードを順次読み出してきて画面に表示する。
【００３８】
作業者が、画面スクロールアップ／ダウンキーを押して、今から実行させたいプログラムを、図９の上段に示す画面の１行目に配置させる。そして、「セット」キー（図示せず）を押すと、壁紙糊付機１の主演算部４は、図１０（ａ）に示す、選択されたプログラムを実行する為の確認画面を表示する。
【００３９】
図１０に示す画面は、「プログラム番号」＝０１番、が１行目に位置していた時に、「セット」キーが押された直後の画面である
［「プログラム番号」＝０１番、「糊付け枚数」＝５枚、「糊付け長さ」＝２５０ｃｍ］
が表示されている。
【００４０】
続いて、「スタート」キーが押されると糊付作業が実行されＳＴＰ４に移行する。
【００４１】
壁紙糊付機１の主演算部４は、壁紙糊付機本体の複数のローラーを回転させながら壁紙を搬送し、裏面に糊を塗布して排出した壁紙の長さを検尺し、検尺値が「糊付け長さ」に達すると、複数のローラーを停止させて、記憶部５の実行結果ファイルに、実行した結果のレコードを生成記憶する。（ＳＴＰ４）
図１１は１枚目の糊付が完了した時点において、実行糊付ファイル中に生成したレコードである。
【００４２】
［「プログラム番号」＝０１番、「糊付け枚数」＝５枚、「糊付け長さ」＝２５０ｃｍ］の１枚目の糊付けができたので、作業者は、裏面に糊が塗布された壁紙を切断し、１枚目の壁紙を床の上に置く。
【００４３】
続いて作業者が「スタート」キーを押すと、壁紙糊付機１の主演算部４は、複数のローラーを回転させて、［「プログラム番号」＝０１番、「糊付け枚数」＝５枚、「糊付け長さ」＝２５０ｃｍ］の２枚目の糊付けを実行する。
【００４４】
１枚目の糊付けが完了した時に、「プログラム実行結果レコード」を１レコード生成して、２枚目の糊付けが完了した時には、既に生成しているレコードの項目「糊付枚数」に１加算し、項目「完了時間（年）」から「完了時間（秒）」には、２枚目が完了した時間を代入して、１枚目の糊付けが完了した時に生成したレコードを更新する（上書き保存する）。同様に、５枚目の糊付けが完了した時には、既に生成しているレコードの項目「糊付枚数」に１加算し、項目「完了時間（年）」から「完了時間（秒）」には、５枚目が完了した時間を代入して、１枚目の糊付けが完了した時に生成したレコードを更新する（上書き保存する）。このレコードの更新によりプログラム実行結果レコードの１つが生成されて実行糊付ファイルに記憶される。
【００４５】
この様に、プログラムモードで糊付けを実行した場合には、１プログラムにつき１つの「プログラム実行結果レコード」が実行糊付けファイル中に記憶される。
【００４６】
次にＳＴＰ３の基本操作モード、すなわちプログラムモードを使用せずに、「糊付け長さ」と「枚数」を都度、入力して糊付けを実行する方法を説明する。
【００４７】
プログラムデータを使用してシミズテイのリビングのオシイレに貼る壁紙に糊を付けた後、これを壁に貼る作業をし損じた場合には、もう一度糊付け作業からやり直す必要があるのでＳＴＰ３の基本操作モードで糊付けを実行する。
【００４８】
また、本発明のシステムにおける上流工程の「見積処理」において、見積もれがあった場合には、処理ＳＴＰ１で現場管理ファイルから糊付け予定ファイルを生成した際に、現場管理ファイルの中にレコードが不足しているので基本操作で糊付け実行モードで糊付けを実行する必要が生じる。
【００４９】
作業者はまず、「現場名」、「部屋名」、「箇所名」、「品番名」を制御ボックス２の表示操作部７のキースイッチにより入力する。「現場名」と「部屋名」とを入力しておくとどの現場の糊付データであるか判別は可能であるため「箇所名」と「品番名」の入力は省略しても良い。
例えば、
「現場名」    ＝シミズテイ
「部屋名」    ＝リビング３
「箇所名」    ＝オシイレ
「品番名」    ＝ＳＰ００７
と入力する。
【００５０】
その後で、作業者は、「糊付け長さ」＝３００ｃｍ、「枚数」＝１枚を入力し、画面に図１２（ａ）が表示される。続いて、「スタート」キーを押すと糊付作業を実行しＳＴＰ４へ移行する。
【００５１】
「スタート」キーが押されると、壁紙糊付機１の主演算部４は、複数のローラーを回転さて壁紙に糊を塗布して、設定されている長さ「糊付け長さ」＝３００ｃｍに達すると、複数のローラーを停止させて、図１２（ｂ）の画面を表示して、実行結果ファイル（図１３）の中の実行糊付ファイルに、「プログラム外実行結果レコード」を生成記憶する。
【００５２】
図１４は生成されたプログラム外実行結果レコードである。
【００５３】
一方、作業者が、「現場名」、「部屋名」、「箇所名」、「品番名」は入力しないで（変更しないで）、「糊付け長さ」＝３３３ｃｍと「枚数」＝１枚だけを入力して、「スタート」キーを押した場合には、壁紙糊付機１の主演算部４は糊を付けを実行し、「現場名」と「部屋名」と「箇所名」と「品番名」は、一回前に実行した「現場名」と「部屋名」と「箇所名」と「品番名」を用いて、「プログラム外実行結果レコード」を生成記憶する。
【００５４】
また、「現場名」、「部屋名」、「箇所名」、「品番名」が全く入力されなかった場合でも、「スタート」キーが押されれば、壁紙糊付機１の主演算部４は糊を付けを実行し、「現場名」と「部屋名」と「箇所名」と「品番名」の項目が空白（ブランク）のレコードを生成する。完了時間（年）から完了時間（秒）までの年月日時間だけの結果を残したい作業者はこの方法を実施する。
【００５５】
フロー図中には図示していないが、処理ＳＴＰ４の最下位の、「糊付け作業の終わりか？」のところで、プログラムモードで糊付実行中から基本操作で糊付け実行モードへ、あるいは、基本操作で糊付け実行モードからプログラムモードへ切り替えることができる様にしているので、プログラムに従って糊付けを実行している途中に、プログラムには存在しない糊付けを割り込ませて実行できる。
【００５６】
処理ＳＴＰ５は、壁紙糊付機１の記憶部５に記憶している糊付け実行結果のレコードをパーソナルコンピュータ等へ取り込む処理（受信処理）である。処理ＳＴＰ５は図１３に示す「実行糊付けファイル」に糊付け実行結果のレコードを生成記憶する。
【００５７】
処理ＳＴＰ６は、ＳＴＰ５で生成した実績ファイル（図１５）中の複数の実績レコード（プログラム実行結果レコードとプログラム外実行結果レコード）から、作業実績として実績計上するレコードを選択して、実績計上ファイル（図１６）中に、その実績レコードを生成する処理である。
【００５８】
処理ＳＴＰ６の中の処理の流れを説明する。
【００５９】
まず、処理ＳＴＰ６は、図１７（ａ）の画面を表示する。
【００６０】
現場名［                  ］       期間指定［        ］〜［          ］
部屋名［                  ］
箇所名［                  ］
は、実績ファイル（図１５）中の複数の実績レコードを検索する条件の入力部分である。
いずれか１つが入力されれば、その条件のみで検索して、複数の条件が入力されれば、ＡＮＤ条件で検索し、該当するレコードを記憶部５から読み出して、画面に表示する。
【００６１】
操作者が、現場コード［００７］を入力すれば、処理ＳＴＰ６は、現場名［清水邸］を表示して、処理ＳＴＰ５によって生成された「実績ファイル」中のレコードの中から清水邸のレコードを検索し、図１７（ｂ）を表示する。
【００６２】
「実績ファイル」の中には、プログラムモードで糊付け実行した「プログラム実行結果レコード」と、基本操作で糊付け実行モードで糊付けした「プログラム外実行結果レコード」の両方が混在しており、図１７（ｂ）の１，２，４，５行目のレコードはプログラム実行結果レコードである（図６で示す４つのレコードと同じ）。図１７（ｂ）の３，６，７，行目のレコードはプログラム外実行結果レコードである（図６には存在していない）。
【００６３】
また、図１７（ｂ）の画面は、処理ＳＴＰ６が、見積時点で生成記憶されている「部屋データファイル」を、「部屋名」をＫｅｙとして検索して、見積もり時点の部屋レコードを読み出して表示している画面である。
【００６４】
操作者は、「プログラム実行結果レコード」と「プログラム外実行結果レコード」が混在して表示されている図１７（ｂ）の画面から、図１７（ｂ）の画面に表示している複数のレコードの左端の「選択」の欄にチェックマークを入れてから、図１７（ｃ）に表示している複数のレコードの「選択」の欄をクリックすれば、処理ＳＴＰ６は、糊を付けた長さ「糊付長さ」×枚数＝ｍ数の「総和値」を計算して、図５の「部屋データファイル」中の項目「実績、作業値」の欄に書き込み、図１８に示す「実績、作業値」に「総和値」が書き込まれた部屋レコードは作業が完了する。
【００６５】
これにより、処理ＳＴＰ４において、プログラムモードで、「糊付けプログラム」に基づいて糊付けを実行した結果である「プログラム実行結果レコード」と、基本操作で糊付け実行モードで糊付けを実行した結果である「プログラム外実行結果レコード」の両方が現場管理ファイル中の部屋データファイルのレコードに割り戻すことができたのである。
【００６６】
本システムの図２の下位の処理である「売上処理」、「請求処理」は、現場管理ファイル中の部屋データファイル中の項目「作業値」に「総和値」が書き込まれた部屋は壁紙施工作業が完了したと認識する。
【００６７】
壁紙施工作業者は、この処理ＳＴＰ６を毎日、あるいは、週単位、月単位で実行すれば、壁紙施工の実績を集計できる。
【００６８】
一方、処理ＳＴＰ４で、「現場名」、「部屋名」、「箇所名」、「品番名」の入力が省略されていた場合には、現場名［シミズテイ］という検索条件には該当しないので、このレコードは生成されない。この場合、操作者は、期間指定［０８／１０／８］〜［０８／１０／１０］で検索すれば、処理ＳＴＰ６は、その期間のレコードを生成して表示する。操作者は、図１７（ｂ）と図１７（ｃ）の画面の左端にチェックマークを入れて、照合する。
【００６９】
ＳＴＰ６の処理は、操作者が、実績計上ファイル中の複数の糊付実績レコードを、どの現場の、どの部屋の、実績とするのかを１つ１つ画面で見ながら決める方法であるが、図１７（ａ）の画面で、「現場コード」＝００７が、入力された後［自動照合スイッチ］がクリックされれば、処理ＳＴＰ６は、「現場コード」＝００７をＫｅｙとして、「実績ファイル」と「現場データファイル」のレコードを検索して、「実績ファイル」中のレコードの「部屋名」と一致する「現場データファイル」中のレコードに、「プログラム実行結果レコード」及び 「プログラム外実行結果レコード」を回帰させる。
【００７０】
但し、処理ＳＴＰ４（糊付け実行）で、「現場名」、「部屋名」、「箇所名」、「品番名」の入力が省略されていた結果レコードは照合されないで残る。これについては操作者が１つ１つ照合しなければならない。
【００７１】
処理ＳＴＰ７は、糊付実績レコードから、実際の壁紙施工作業で、どれくらいの上下カットロスや幅カットロス等が生じたかを算出する処理である。図１９の上段は現場名であり、中段は見積もり時点で、「部屋データファイル」に記憶させていた「見積時、作業値」、「見積時、切り代」、「見積時、ロス率」、下段左側は、「実績計上ファイル」中の実績レコードである（表示内容は図１７（ｂ）と同じ）。
【００７２】
図１９の下段右側は、「実績計上ファイル」中の「実績、作業値」と、Σ（（実績長さ−実績切り代）×実績枚数）または、Σ（（実績長さ×実績枚数）×（１００−ロス率）／１００）によって算出した、「実績、切り代」と「実績、ロス率」である。
【００７３】
処理ＳＴＰ７は、「実績、切り代」と「実績、ロス率」を「部屋データファイル」に書き込む。
【００７４】
図２に示す「請求処理」において、本システムによって記憶させた「作業値」を引用し、また、「参考値切り代」、「参考値ロス率」、「トータル値」の値を参考にし、作業者の工賃、糊費などの諸費用を加えて請求書を作成する。
【００７５】
図５の「部屋データファイル」に記憶された「見積時、作業値」、「見積時、切り代」、「見積時、ロス率」と、「実績、作業値」、 「実績、切り代」、「実績、ロス率」とを比較すれば、見積と実績の差違の把握ができ、次の物件の見積もりの参考とできる。
【図面の簡単な説明】
【００７６】
【図１】（ａ）は壁紙糊付機の概要図、（ｂ）は制御部の構成図である。
【図２】壁紙施工管理システムの処理のフロー図である。
【図３】本発明の処理のフロー図である。
【図４】現場データファイルの項目を説明する図である。
【図５】部屋データファイルの項目を説明する図である。
【図６】現場データファイルの１例を説明する図である。
【図７】糊付予定ファイルの項目を説明する図である。
【図８】（ａ）糊付プログラムファイルの項目を説明する図（ｂ）糊付プログラムファイルの１例を示す図である。
【図９】プログラムレコードの表示について説明する図である。
【図１０】糊付実行レコードを実行する画面表示を説明する図である。
【図１１】実行糊付ファイルで生成したレコード項目と内容を説明する図である。
【図１２】手操作実行レコードを生成する画面表示を説明する図である。
【図１３】実行糊付ファイルの項目を説明する図である。
【図１４】プログラム外実行結果レコードの項目を説明する図である。
【図１５】実績ファイルの項目を説明する図である。
【図１６】実績計上ファイルの項目を説明する図である。
【図１７】（ａ）プログラム外実行時の表示を説明する図、（ｂ）プログラム実行結果レコードとプログラム外実行結果レコードが混在している状態を説明する図、（ｃ）部屋データファイルに総和値を書き込む操作を説明する図である。
【図１８】総和値を集計計算し、部屋データファイルへの書き込みを説明する図である。
【図１９】総和値から切り代数量を減算した数値や、ロス率の算出処理を反映した部屋レコードの画面表示を説明する図である。
【符号の説明】
【００７７】
１  壁紙糊付機
２  制御ボックス
３  制御部
４  主演算部
５  記憶部
６  通信部
７  表示操作部
【図１】
2010117844.tif 000003
【図２】
2010117844.tif 000004
【図３】
2010117844.tif 000005
【図４】
2010117844.tif 000006
【図５】
2010117844.tif 000007
【図６】
2010117844.tif 000008
【図７】
2010117844.tif 000009
【図８】
2010117844.tif 000010
【図９】
2010117844.tif 000011
【図１０】
2010117844.tif 000012
【図１１】
2010117844.tif 000013
【図１２】
2010117844.tif 000014
【図１３】
2010117844.tif 000015
【図１４】
2010117844.tif 000016
【図１５】
2010117844.tif 000017
【図１６】
2010117844.tif 000018
【図１７】
2010117844.tif 000019
【図１８】
2010117844.tif 000020
【図１９】
2010117844.tif 000021